(57)【要約】【課題】メディアに記録された画像データを再生する際に、画像の内容を迅速に把握できるようにする。【解決手段】メディアＭに記録された静止画像データＳ０を、タグ情報に含まれる撮影日時情報に基づいて撮影日毎にグループ化し、グループ化された静止画像データＳ０のファイル名を撮影日毎にグループ化して一覧表示した画像選択画面を表示する。画像選択画面においてファイル名の選択を受け付け、選択されたファイル名の静止画像データＳ０を再生する。【選択図】　　　　　図１
2004120401.tif 000002
【特許請求の範囲】
【請求項１】
メディアに記録された画像データを再生する画像再生方法において、
前記メディアに標準記録フォーマットの画像データおよび／またはそれ以外の他のフォーマットの画像データが記録されているかを判定し、
前記標準記録フォーマットの画像データのみが記録されている場合には、該標準記録フォーマットの画像データを再生し、
前記他のフォーマットの画像データのみが記録されている場合には、再生する前記他のフォーマットの画像データを選択するための画像選択画面を表示し、
前記標準記録フォーマットの画像データおよび前記他のフォーマットの画像データの双方が記録されている場合は、いずれのフォーマットの画像データを再生するかを選択するフォーマット選択画面を表示し、該フォーマット選択画面における選択結果に応じて、前記標準記録フォーマットの画像データの再生および前記画像選択画面の表示のいずれかを行うことを特徴とする画像再生方法。
【請求項２】
前記画像選択画面は、前記他のフォーマットの画像データのファイル名を撮影日毎にグループ化して一覧表示してなることを特徴とする請求項１記載の画像再生方法。
【請求項３】
メディアに記録された、少なくとも撮影日時を表す撮影日時情報を含む付帯情報が付与された複数の画像データを再生する画像再生方法において、
前記画像データのファイル名を前記撮影日時情報に基づいて撮影日毎にグループ化して一覧表示した画像選択画面を表示することを特徴とする画像再生方法。
【請求項４】
前記ファイル名とともに前記付帯情報を前記画像選択画面に含めることを特徴とする請求項３記載の画像再生方法。
【請求項５】
前記撮影日毎にグループ化された画像データをそれぞれ代表する代表画像のサムネイル画像を、前記撮影日毎に前記画像選択画面に含めることを特徴とする請求項３または４記載の画像再生方法。
【請求項６】
メディアに記録された画像データを再生する画像再生装置において、
前記メディアに標準記録フォーマットの画像データおよび／またはそれ以外の他のフォーマットの画像データが記録されているかを判定し、前記標準記録フォーマットの画像データのみが記録されている場合には、該標準記録フォーマットの画像データを再生し、前記他のフォーマットの画像データのみが記録されている場合には、再生する前記他のフォーマットの画像データを選択するための画像選択画面を表示し、前記標準記録フォーマットの画像データおよび前記他のフォーマットの画像データの双方が記録されている場合は、いずれのフォーマットの画像データを再生するかを選択するフォーマット選択画面を表示し、該フォーマット選択画面における選択結果に応じて、前記標準記録フォーマットの画像データの再生および前記画像選択画面の表示のいずれかを行う再生制御手段を備えたことを特徴とする画像再生装置。
【請求項７】
前記画像選択画面は、前記他のフォーマットの画像データのファイル名を撮影日毎にグループ化して一覧表示してなることを特徴とする請求項６記載の画像再生装置。
【請求項８】
メディアに記録された、少なくとも撮影日時を表す撮影日時情報を含む付帯情報が付与された複数の画像データを再生する画像再生装置において、
前記画像データのファイル名を前記撮影日時情報に基づいて撮影日毎にグループ化して一覧表示した画像選択画面を表示する再生制御手段を備えたことを特徴とする画像再生装置。
【請求項９】
前記再生制御手段は、前記ファイル名とともに前記付帯情報を前記画像選択画面に含める手段であることを特徴とする請求項８記載の画像再生装置。
【請求項１０】
前記再生制御手段は、前記撮影日毎にグループ化された画像データをそれぞれ代表する代表画像のサムネイル画像を、前記撮影日毎に前記画像選択画面に含める手段であることを特徴とする請求項８または９記載の画像再生装置。
【請求項１１】
メディアに記録された画像データを再生する画像再生方法をコンピュータに実行させるためのプログラムにおいて、
前記メディアに標準記録フォーマットの画像データおよび／またはそれ以外の他のフォーマットの画像データが記録されているかを判定する手順と、
前記標準記録フォーマットの画像データのみが記録されている場合には、該標準記録フォーマットの画像データを再生する手順と、
前記他のフォーマットの画像データのみが記録されている場合には、再生する前記他のフォーマットの画像データを選択するための画像選択画面を表示する手順と、
前記標準記録フォーマットの画像データおよび前記他のフォーマットの画像データの双方が記録されている場合は、いずれのフォーマットの画像データを再生するかを選択するフォーマット選択画面を表示し、該フォーマット選択画面における選択結果に応じて、前記標準記録フォーマットの画像データの再生および前記画像選択画面の表示のいずれかを行う手順とを有するプログラム。
【請求項１２】
前記画像選択画面は、前記他のフォーマットの画像データのファイル名を撮影日毎にグループ化して一覧表示してなる請求項１１記載のプログラム。
【請求項１３】
メディアに記録された、少なくとも撮影日時を表す撮影日時情報を含む付帯情報が付与された複数の画像データを再生する画像再生方法をコンピュータに実行させるためのプログラムにおいて、
前記画像データのファイル名を前記撮影日時情報に基づいて撮影日毎にグループ化して一覧表示した画像選択画面を表示する手順を有するプログラム。
【請求項１４】
前記画像選択画面を表示する手順は、前記ファイル名とともに前記付帯情報を前記画像選択画面に含める手順である請求項１３記載のプログラム。
【請求項１５】
前記画像選択画面を表示する手順は、前記撮影日毎にグループ化された画像データをそれぞれ代表する代表画像のサムネイル画像を、前記撮影日毎に前記画像選択画面に含める手順である請求項１３または１４記載のプログラム。
【発明の詳細な説明】
【０００１】
【発明の属する技術分野】
本発明は、ＤＶＤやＣＤ等のメディアに記録された画像データを再生する画像再生方法および装置並びに画像再生方法をコンピュータに実行させるためのプログラムに関するものである。
【０００２】
【従来の技術】
ＤＶＤプレーヤーを用いることにより、ＤＶＤに記録されたＤＶＤ−Ｖｉｄｅｏ形式の動画像データや、ＣＤに記録されたＶｉｄｅｏ−ＣＤ形式の動画像データ（以下標準記録フォーマットの画像データとする）を家庭用のテレビにおいて再生したり、ＣＤに記録された音楽を再生して楽しむことができる。一方、ＤＶＤやＣＤ等のメディアに、デジタルカメラ等により取得したＥｘｉｆ形式等の静止画像データを記録し、ＤＶＤプレーヤーにより静止画像データを再生することも可能となってきている。これにより、デジタルカメラにより取得した画像データや、フイルムに記録された画像を読み取ることにより得た画像データをメディアに記録すれば、自身が撮影した画像を家庭用のテレビに表示して家族や友人とともに楽しむことができる。
【０００３】
また、標準記録フォーマットの画像データをＥｘｉｆ形式等の他のフォーマットの画像データとともに記録したメディアも提案されている。
【０００４】
【発明が解決しようとする課題】
ところで、静止画像データを再生可能なＤＶＤプレーヤーにおいて、上述したように標準記録フォーマットの画像データおよび他のフォーマットの画像データを記録したメディアを再生する場合、双方の画像データを記録した画像領域を認識できないため、標準記録フォーマットの画像データおよび静止画像データのいずれをも再生できないという問題がある。また、再生できたとしても、標準記録フォーマットの画像データのみであることが多い。
【０００５】
一方、メディアには複数の静止画像データを記録することができるため、複数の画像データにより表される画像のサムネイル画像を生成し、これを一覧画面に含めて表示することにより、表示する画像の内容を容易に理解して画像の選択を行うことができる。
【０００６】
しかしながら、サムネイル画像を生成するためには画像データを縮小する必要がある。とくに、画像データは圧縮されていることが多いため、サムネイル画像の生成時にはまず画像データを解凍し、解凍して得られた画像データをさらに縮小する処理を行う必要がある。ここで、多くの家庭において使用される汎用型のＤＶＤプレーヤーは、比較的安価なＣＰＵのみしか使用していないため、サムネイル画像を生成する処理に時間を要する。とくに、ＤＶＤのようなメディアは容量が大きいために多数の画像データが記録されていることが多い。このため、ＤＶＤに記録された画像データを再生しようとしているユーザは、全ての画像データについてサムネイル画像を生成するのに長時間待つ必要があり、その結果、メディアに記録された画像の内容を把握するのに時間を要するという問題がある。
【０００７】
本発明は上記事情に鑑みなされたものであり、標準記録フォーマットの画像データおよび他のフォーマットの画像データを記録したメディアであっても、双方の画像データを簡易に再生できるようにすることを目的とする。
【０００８】
また、本発明は、メディアに記録された画像データを再生する際に、画像の内容を迅速に把握できるようにすることを第２の目的とする。
【０００９】
【課題を解決するための手段】
本発明による第１の画像再生方法は、メディアに記録された画像データを再生する画像再生方法において、
前記メディアに標準記録フォーマットの画像データおよび／またはそれ以外の他のフォーマットの画像データが記録されているかを判定し、
前記標準記録フォーマットの画像データのみが記録されている場合には、該標準記録フォーマットの画像データを再生し、
前記他のフォーマットの画像データのみが記録されている場合には、再生する前記他のフォーマットの画像データを選択するための画像選択画面を表示し、
前記標準記録フォーマットの画像データおよび前記他のフォーマットの画像データの双方が記録されている場合は、いずれのフォーマットの画像データを再生するかを選択するフォーマット選択画面を表示し、該フォーマット選択画面における選択結果に応じて、前記標準記録フォーマットの画像データの再生および前記画像選択画面の表示のいずれかを行うことを特徴とするものである。
【００１０】
なお、本発明による第１の画像再生方法においては、前記画像選択画面を、前記他のフォーマットの画像データのファイル名を撮影日毎にグループ化して一覧表示するものとしてもよい。
【００１１】
本発明による第２の画像再生方法は、メディアに記録された、少なくとも撮影日時を表す撮影日時情報を含む付帯情報が付与された複数の画像データを再生する画像再生方法において、
前記画像データのファイル名を前記撮影日時情報に基づいて撮影日毎にグループ化して一覧表示した画像選択画面を表示することを特徴とするものである。
【００１２】
なお、本発明による第２の画像再生方法においては、前記ファイル名とともに前記付帯情報を前記画像選択画面に含めるようにしてもよい。
【００１３】
また、本発明による第２の画像再生方法においては、前記撮影日毎にグループ化された画像データをそれぞれ代表する代表画像のサムネイル画像を、前記撮影日毎に前記画像選択画面に含めるようにしてもよい。
【００１４】
本発明による第１の画像再生装置は、メディアに記録された画像データを再生する画像再生装置において、
前記メディアに標準記録フォーマットの画像データおよび／またはそれ以外の他のフォーマットの画像データが記録されているかを判定し、前記標準記録フォーマットの画像データのみが記録されている場合には、該標準記録フォーマットの画像データを再生し、前記他のフォーマットの画像データのみが記録されている場合には、再生する前記他のフォーマットの画像データを選択するための画像選択画面を表示し、前記標準記録フォーマットの画像データおよび前記他のフォーマットの画像データの双方が記録されている場合は、いずれのフォーマットの画像データを再生するかを選択するフォーマット選択画面を表示し、該フォーマット選択画面における選択結果に応じて、前記標準記録フォーマットの画像データの再生および前記画像選択画面の表示のいずれかを行う再生制御手段を備えたことを特徴とするものである。
【００１５】
なお、本発明による第１の画像再生装置においては、前記画像選択画面を、前記他のフォーマットの画像データのファイル名を撮影日毎にグループ化して一覧表示するものとしてもよい。
【００１６】
本発明による第２の画像再生装置は、メディアに記録された、少なくとも撮影日時を表す撮影日時情報を含む付帯情報が付与された複数の画像データを再生する画像再生装置において、
前記画像データのファイル名を前記撮影日時情報に基づいて撮影日毎にグループ化して一覧表示した画像選択画面を表示する再生制御手段を備えたことを特徴とするものである。
【００１７】
なお、本発明による第２の画像再生装置においては、前記再生制御手段を、前記ファイル名とともに前記付帯情報を前記画像選択画面に含める手段としてもよい。
【００１８】
また、本発明による第２の画像再生装置においては、前記再生制御手段を、前記撮影日毎にグループ化された画像データをそれぞれ代表する代表画像のサムネイル画像を、前記撮影日毎に前記画像選択画面に含める手段としてもよい。
【００１９】
なお、本発明による第１および第２の画像再生方法をコンピュータに実行させるためのプログラムとして提供してもよい。
【００２０】
【発明の効果】
本発明の第１の画像再生方法および装置によれば、メディアに標準記録フォーマットの画像データおよび／またはそれ以外の他のフォーマットの画像データが記録されているかが判定され、標準記録フォーマットの画像データのみが記録されている場合には、その標準記録フォーマットの画像データが再生される。一方、他のフォーマットの画像データのみが記録されている場合には、再生する他のフォーマットの画像データを選択するための画像選択画面が表示される。一方、標準記録フォーマットの画像データおよび他のフォーマットの画像データの双方が記録されている場合には、いずれのフォーマットの画像データを再生するかを選択するフォーマット選択画面が表示され、このフォーマット選択画面における選択結果に応じて、標準記録フォーマットの画像データの再生および画像選択画面の表示のいずれかが行われる。なお、画像選択画面においては、再生する他のフォーマットの画像データの選択が受け付けられ、選択された画像データが再生されることとなる。
【００２１】
このため、標準記録フォーマットの画像データおよび静止画像データを記録したメディアから、双方の画像データを簡易に再生することができる。
【００２２】
また、本発明の第２の画像再生方法および装置によれば、画像データのファイル名を撮影日時情報に基づいて撮影日毎にグループ化して一覧表示した画像選択画面が表示される。ここで、画像データのファイル名を見たのみではその画像データがどのような被写体を撮影したものであるかを推定することは困難であるが、撮影日を見れば記憶をたどることにより、その撮影日にどのような被写体を撮影したかをおおよそ把握することができる。したがって、画像選択画面を見れば画像データのサムネイル画像を表示することなく、画像の内容をおおよそ把握することができ、これにより、ＤＶＤプレーヤーのように、ＣＰＵの能力が低い再生装置においても、サムネイル画像を作成するための時間をかけることなく、メディアに記録された画像データの内容を迅速に把握することが可能となる。
【００２３】
また、ファイル名とともに、付帯情報を画像選択画面に含めることにより、撮影日時以外の情報にも基づいて、画像データの内容をより容易に把握することが可能となる。
【００２４】
また、撮影日毎にグループ化された画像データをそれぞれ代表する代表画像のサムネイル画像を撮影日毎に画像選択画面に含めることにより、全ての画像データについてサムネイル画像を作成する時間をかけることなく、画像データの内容の把握をより容易に行うことができる。
【００２５】
【発明の実施の形態】
以下図面を参照して本発明の実施形態について説明する。図１は本発明の実施形態による画像再生装置を適用したＤＶＤプレーヤーの構成を示す概略ブロック図である。図１に示すように、本実施形態によるＤＶＤプレーヤー１は、メディアＭの挿入を受け付けてメディアＭに記録された動画像データ、静止画像データおよび音声データ等を読み出すメディアドライブ１１と、動画像データ、静止画像データおよび音声データをデコードするデコーダー１２と、動画像データ、静止画像データおよび音声データを再生等するためのプログラムや種々の情報を記録したＲＯＭ１３と、種々のデータを一時的に記憶したり、処理の作業領域となるＲＡＭ１４と、リモコン１５からの操作を受け付ける受信部１６と、テレビ３を接続するためのテレビ端子１７と、メモリカードリーダー、ハードディスク、プリンタ、ＡＶアンプ等の外部機器を接続するためのＵＳＢ、ＩＥＥＥ等の規格からなる入出力端子１８と、後述するように静止画像データＳ０の再生時にテレビ３に表示する画像選択画面および後述するようにメディアＭに異なるフォーマットの画像データが記録されている場合に、再生する画像データのフォーマットを選択させるためのフォーマット選択画面を生成する画面生成手段２１と、メディアドライブ１１、デコーダー１２、ＲＯＭ１３、ＲＡＭ１４、受信部１６、テレビ端子１７、入出力端子１８および画面生成手段２１を制御するＣＰＵ１９とを備える。
【００２６】
メディアＭにはパソコン４において、デジタルカメラ５により取得されたＥｘｉｆ形式の複数の静止画像データＳ０、および／または動画像データ、静止画像データおよび音声データをオーサリングすることにより得られたＤＶＤ−Ｖｉｄｅｏ形式の動画像データや、ＣＤに記録されたＶｉｄｅｏ−ＣＤ形式の動画像データ（以下標準記録フォーマットの画像データとする）が記録される。
【００２７】
なお、静止画像データＳ０はＥｘｉｆ形式のフォーマットの画像データであり、撮影日時を表す情報、撮影場所を表す情報、撮影者名、ストロボ使用の有無等を含むタグ情報が付与されているものとする。
【００２８】
ここで、メディアＭに記録される標準記録フォーマットの画像データおよび／またはＥｘｉｆ形式の静止画像データＳ０は、ＭＰＥＧ、ＪＰＥＧ等の形式により圧縮されている。デコーダー１２は、メディアＭに記録された圧縮された画像データを解凍し、再生のためにテレビ端子１７に入力するものである。
【００２９】
ＲＯＭ１３には、ＤＶＤプレーヤー１の動作プログラムが記録される。この動作プログラムは、データの再生をＣＰＵ１９に行わせるものであり、その操作は受信部１６が受信したリモコン１５の操作に基づいて行われる。なお、ＲＯＭ１３に代えて、専用チップによりデータの再生を行うようにしてもよい。
【００３０】
受信部１６は、リモコン１５によりユーザにより操作された操作内容を表す赤外線を受信し、その操作内容に応じてＤＶＤプレーヤー１を駆動する指示をＣＰＵ１９に入力する。ここで、リモコン１５により、再生する画像データの選択、画像データのフォーマットの選択および種々の設定等、ＤＶＤプレーヤー１の全ての操作を行うことができる。
【００３１】
画面生成手段２１は、静止画像データＳ０の再生が指示された場合に、メディアＭに記録された静止画像データＳ０のタグ情報に含まれる撮影日時を表す情報に基づいて、撮影日毎に静止画像データＳ０をグループ化する。そして、グループ化された静止画像データＳ０のファイル名を撮影日毎にグループ化して一覧表示させた画像選択画面を生成し、これをテレビ端子１７を通じてテレビ３に出力する。
【００３２】
図２は画像選択画面の例を示す図である。図２に示すように画像選択画面には、撮影日毎にグループ化された静止画像データＳ０の数およびファイル名が一覧表示される。ここで、図２に示す画像選択画面においては、２００２／４／２７にＤＳＣＦ０００１．ＪＰＧ〜ＤＳＣＦ０００３．ＪＰＧの３枚の静止画像データＳ０がグループ化され、２００２／５／３にＤＳＣＦ０００４．ＪＰＧ〜ＤＳＣＦ０００５．ＪＰＧの２枚の静止画像データＳ０がグループ化され、２００２／５／５にＤＳＣＦ０００６．ＪＰＧ〜ＤＳＣＦ０００８．ＪＰＧの３枚の静止画像データＳ０がグループ化されている。
【００３３】
なお、図３に示すように、タグ情報に含まれる撮影場所を表す情報および撮影者名をファイル名と合わせて画像選択画面に含めてもよい。また、これ以外のストロボの有無等を表す情報を画像選択画面に含めてもよいことはもちろんである。
【００３４】
さらに、図４に示すように、グループ化された静止画像データＳ０を代表する代表画像のサムネイル画像を画像選択画面に含めてもよい。ここで、ＤＶＤプレーヤー１のＣＰＵの能力はそれほど大きくないため、サムネイル画像は１つのみ表示することが好ましいが、ＣＰＵの能力に応じてより多くのサムネイル画像を画像選択画面に含めるようにしてもよい。
【００３５】
なお、再生する画像データのフォーマットを選択させるためのフォーマット選択画面の生成については後述する。
【００３６】
次いで、本実施形態の動作について説明する。図５は本実施形態において行われる処理を示すフローチャートである。まず、メディアドライブ１１にメディアＭが挿入されたか否かが監視されており（ステップＳ１）、ステップＳ１が肯定されると、メディアＭに標準記録フォーマットの画像データが記録されているか否かが判定される（ステップＳ２）。ステップＳ２が肯定されると、さらにＥｘｉｆ形式の静止画像データＳ０が記録されているか否かが判定される（ステップＳ３）。ステップＳ３が否定されると、メディアＭに記録された標準記録フォーマットの画像データが再生され（ステップＳ４）、処理を終了する。
【００３７】
ステップＳ３が肯定されると、標準記録フォーマットおよびＥｘｉｆ形式のいずれのフォーマットの画像データを再生するかを選択させるフォーマット選択画面が表示される（ステップＳ５）。図６はフォーマット選択画面の例を示す図である。なお、ここでは、メディアＭがＣＤ−Ｒであり、標準記録フォーマットとしてＶｉｄｅｏ−ＣＤ形式の画像データがメディアＭに記録されている場合の例を示すが、メディアＭがＤＶＤ−Ｒであり、標準記録フォーマットとしてＤＶＤ−Ｖｏｄｅｏ形式の画像データが記録されている場合は、「Ｖｉｄｅｏ−ＣＤ」に代えて「ＤＶＤ−Ｖｏｄｅｏ」と表示がなされる。
【００３８】
そして、フォーマットの選択の入力がリモコン１５により受け付けられ（ステップＳ６）、Ｖｉｄｅｏ−ＣＤが選択されると、ステップＳ４に進んで標準記録フォーマットの画像データが再生され、処理を終了する。
【００３９】
静止画像が選択されると、画像選択画面が表示され（ステップＳ７）、さらに再生する静止画像データＳ０の選択の入力がリモコン１５により受け付けられ（ステップＳ８）、選択された静止画像データＳ０が再生され（ステップＳ９）、処理を終了する。
【００４０】
一方、ステップＳ２が否定されると、さらにＥｘｉｆ形式の静止画像データＳ０が記録されているか否かが判定される（ステップＳ１０）。ステップＳ１０が肯定されるとステップＳ７に進み、ステップＳ７以降の処理が行われる。ステップＳ１０が否定されると、処理を終了する。
【００４１】
このように、本実施形態においては、メディアＭに標準記録フォーマットの画像データが記録されているか、Ｅｘｉｆ形式の静止画像データＳ０のように他のフォーマットの画像データが記録されているかを判定し、標準記録フォーマットの画像データのみが記録されている場合には標準記録フォーマットの画像データを再生し、他のフォーマットの画像データのみが記録されている場合には、画像選択画面を表示して、他のフォーマットの画像データを再生するようにしたものである。また、双方のフォーマットの画像データが記録されている場合には、図６に示すフォーマット選択画面を表示して、再生する画像データのフォーマットの選択を受け付け、選択されたフォーマットの画像データを再生するようにしたものである。このため、標準記録フォーマットの画像データおよびＥｘｉｆ形式の静止画像データＳ０を記録したメディアから、双方の画像データを簡易に再生することができる。
【００４２】
また、静止画像データＳ０を再生する場合、静止画像データＳ０に付与されたタグ情報に含まれる撮影日時情報に基づいて、静止画像データＳ０のファイル名を撮影日毎にグループ化して一覧表示した画像選択画面を表示するようにしたため、撮影日を参照することにより、その撮影日にどのような被写体を撮影したかをおおよそ把握することができる。そしてこれにより、従来のように全ての静止画像データＳ０についてサムネイル画像を生成する場合と比較して、ＤＶＤプレーヤーのように、ＣＰＵの能力が低い再生装置においても、サムネイル画像を作成するための時間をかけることなく、メディアＭに記録された静止画像データＳ０の内容を迅速に把握することが可能となる。
【図面の簡単な説明】
【図１】本発明の実施形態による画像再生装置を適用したＤＶＤプレーヤーの構成を示す概略ブロック図
【図２】画像選択画面の例を示す図（その１）
【図３】画像選択画面の例を示す図（その２）
【図４】画像選択画面の例を示す図（その３）
【図５】本実施形態において行われる処理を示すフローチャート
【図６】フォーマット選択画面の例を示す図
【符号の説明】
１　　ＤＶＤプレーヤー
３　　テレビ
４　　パソコン
５　　デジタルカメラ
１１　　メディアドライブ
１２　　デコーダー
１３　　ＲＯＭ
１４　　ＲＡＭ
１５　　リモコン
１６　　受信部
１７　　テレビ端子
１８　　入出力端子
１９　　ＣＰＵ
２１　　画面生成手段
【図１】
2004120401.tif 000003
【図２】
2004120401.tif 000004
【図３】
2004120401.tif 000005
【図４】
2004120401.tif 000006
【図５】
2004120401.tif 000007
【図６】
2004120401.tif 000008